(57)【特許請求の範囲】
【請求項１】
シートの給送方向に回転されるシート搬送回転部材と、
前記シート搬送回転部材に当接してニップ部を形成する摩擦部材を有する分離ユニットと、
前記分離ユニットが収められる開口部を有し、該分離ユニットを保持する枠体と、
を備え、前記ニップ部でシートを１枚ずつ分離して給送するシート給送装置において、
前記シート搬送回転部材側から前記開口部への前記分離ユニットの挿入を案内する挿入ガイドと、
前記挿入ガイドに案内されて前記開口部に挿入される前記分離ユニットに設けられた被規制部を規制して、該分離ユニットを該開口部内の収められるべき位置に位置させる位置規制部と、
を前記開口部の縁領域に設けることを特徴とするシート給送装置。
【請求項２】
前記分離ユニットを加圧して前記摩擦部材を前記シート搬送回転部材に加圧させる加圧手段を備えることを特徴とする請求項１に記載のシート給送装置。
【請求項３】
前記加圧手段は前記枠体に設けられ、該加圧手段の作用点位置は移動可能に構成されることを特徴とする請求項２に記載のシート給送装置。
【請求項４】
前記分離ユニットは、前記シート搬送回転部材との非対向面側に前記加圧手段により加圧される受け部を備え、該受け部のシート搬送方向上下流側の少なくともいずれか一方に、該受け部に対して傾斜している傾斜形状部が設けられていることを特徴とする請求項２または３に記載のシート給送装置。
【請求項５】
前記開口部に挿入される前記分離ユニットは、前記挿入ガイドにより案内された後、前記傾斜形状部及び前記受け部が前記加圧手段の移動に伴い生じる付勢力に抗して挿入されて、前記位置規制部により該開口部内の収められるべき位置に位置することを特徴とする請求項４に記載のシート給送装置。
【請求項６】
前記位置規制部は、前記加圧手段により加圧される前記分離ユニットの可動領域内において、前記被規制部を規制することを特徴とする請求項２乃至５のいずれか１項に記載のシート給送装置。
【請求項７】
前記ニップ部を開放して、開放動作を行う可動筐体と固定された固定筐体とに装置本体を分ける開放手段を備え、
前記分離ユニットは、前記可動筐体と前記固定筐体とのうちどちらか一方に設けられることを特徴とする請求項１乃至６のいずれか１項に記載のシート給送装置。
【請求項８】
請求項１乃至７のいずれか１項に記載のシート給送装置と、
前記シート給送装置により給送されたシートに画像を形成する画像形成手段と、該シートの画像情報を読み取る画像読取手段とのうち少なくともいずれか一方を備えることを特徴とするシート処理装置。
【発明の詳細な説明】
【０００１】
【発明の属する技術分野】
本発明は、例えば、スキャナ、複写機、プリンタ、あるいは、ファクシミリ装置などの、原稿の画像を読み取ったり、シート上に画像を形成する手段を有するシート処理装置に関し、特に、これらの装置に備えられる、シートを給送するためのシート給送装置に関するものである。
【０００２】
【従来の技術】
従来のこの種のシート処理装置として、例えば画像読取装置を、図９及び図１０に示す。
【０００３】
画像読取装置４０は、画像読取装置本体の上部を形成する回動可能な上部フレームである上原稿ガイド４６と、本体下部を形成する固定された下部フレームである下原稿ガイド１０２（以下、搬送フレームと称す）とがワニ口型に組み合わされ、これら上原稿ガイド４６と搬送フレーム１０２との間に原稿搬送路が形成される構成となっている。
【０００４】
上記搬送フレーム１０２には、原稿束を積載する原稿台１０１より原稿搬送方向下流側に向かって、不図示のモーターより駆動伝達され原稿Ｄを給紙する給紙ローラ１０３、原稿上の画像情報を読取る密着型読取りセンサー１１０（以下ＣＩＳと称す）、原稿ＤをＣＩＳ１１０へ搬送する搬送ローラ１０７、原稿Ｄを排出する排出ローラ１０９等が設けられており、上記上原稿ガイド４６には、給紙ローラ１０３と圧接して原稿束より原稿を１枚ずつ分離する分離パッド１０５と、搬送ローラ１０７に圧接してＣＩＳ１１０へ原稿Ｄを搬送する搬送コロ１０６と、排紙ローラ１０９に圧接して排出口１１４へ原稿Ｄを排出する排紙コロ１０８等が配置されている。
【０００５】
原稿台１０１読取り面を下向きにセットした複数枚の原稿Ｄのうち、給紙ローラ１０３及び分離パッド１０５によって最下位の原稿より一枚ずつ分離搬送されるように構成されている。分離された原稿Ｄは、搬送ローラ１０７及び搬送コロ１０６によって、ＣＩＳ１１０へ搬送される。ＣＩＳ１１０を通過する際に画像が読取られ、読取られた原稿Ｄは排紙ローラ１０９及び排紙コロ１０８によって原稿排出口１１４へ排出される。
【０００６】
分離パッド１０５はパッドホルダ３１に保持されており、パッドホルダ３１は上原稿ガイド４６に取付けられている。パッドホルダ３１は回動可能となっており、バネ５１により給紙ローラ１０３へ所定の圧力で圧接する構成となっている。
【０００７】
図１０（ａ）、（ｂ）は、画像読取装置より上原稿ガイドを外し、上原稿ガイドの裏面を示す図である。図１０を用いて分離パッド１０５を保持しているパッドホルダ３１の、上原稿ガイドへの取付け方法を示す。上原稿ガイド４６の中央部には、パッドホルダ３１を埋設するための開口部４７が形成されている。
【０００８】
上原稿ガイド裏面の開口部４７の両側部には、パッドホルダ３１の回動軸３２、３３の外側部分を回動可能に嵌め込む事が出来る軸嵌合部４８、４９が設けられている。
【０００９】
パッドホルダ３１は、上原稿ガイド裏面より軸嵌合部４８、４９に軸３２、３３を嵌め込む事により、上ガイド部材４６に取付けられる構成であった。
【００１０】
【発明が解決しようとする課題】
しかしながら、上記のような従来技術の場合には、下記のような問題が生じていた。
【００１１】
分離パッドユニット（分離パッド１０５及びパッドホルダ３１からなる分離手段をまとめたもので、以下、分離パッドｕと称す）の取付けは、上原稿ガイドに取り付いている外装を外すなどして上原稿ガイド裏面を開放状態で、上原稿ガイド裏側より取付ける構成だった為、分離パッドｕの組み付けが困難であり、また、古くなった分離パッドｕの交換性が悪かった、などの問題点が生じていた。
【００１２】
本発明は上記の従来技術の課題を解決するためになされたもので、その目的とするところは、ユーザビリティーの向上とともにシート給送性能の向上を実現させたシート給送装置及びシート処理装置を提供することにある。
【００１３】
【課題を解決するための手段】
上記目的を達成するために本発明にあっては、
シートの給送方向に回転されるシート搬送回転部材と、
前記シート搬送回転部材に当接してニップ部を形成する摩擦部材を有する分離ユニットと、
前記分離ユニットが収められる開口部を有し、該分離ユニットを保持する枠体と、
を備え、前記ニップ部でシートを１枚ずつ分離して給送するシート給送装置において、
前記シート搬送回転部材側から前記開口部への前記分離ユニットの挿入を案内する挿入ガイドと、
前記挿入ガイドに案内されて前記開口部に挿入される前記分離ユニットに設けられた被規制部を規制して、該分離ユニットを該開口部内の収められるべき位置に位置させる位置規制部と、
を前記開口部の縁領域に設けることを特徴とする。
【００１４】
前記分離ユニットを加圧して前記摩擦部材を前記シート搬送回転部材に加圧させる加圧手段を備えることも好適である。
【００１５】
前記加圧手段は前記枠体に設けられ、該加圧手段の作用点位置は移動可能に構成されることも好適である。
【００１６】
前記分離ユニットは、前記シート搬送回転部材との非対向面側に前記加圧手段により加圧される受け部を備え、該受け部のシート搬送方向上下流側の少なくともいずれか一方に、該受け部に対して傾斜している傾斜形状部が設けられていることも好適である。
【００１７】
前記開口部に挿入される前記分離ユニットは、前記挿入ガイドにより案内された後、前記傾斜形状部及び前記受け部が前記加圧手段の移動に伴い生じる付勢力に抗して挿入されて、前記位置規制部により該開口部内の収められるべき位置に位置することも好適である。
【００１８】
前記位置規制部は、前記加圧手段により加圧される前記分離ユニットの可動領域内において、前記被規制部を規制することも好適である。
【００１９】
前記ニップ部を開放して、開放動作を行う可動筐体と固定された固定筐体とに装置本体を分ける開放手段を備え、
前記分離ユニットは、前記可動筐体と前記固定筐体とのうちどちらか一方に設けられることも好適である。
【００２０】
シート処理装置にあっては、上記記載のシート給送装置と、
前記シート給送装置により給送されたシートに画像を形成する画像形成手段と、該シートの画像情報を読み取る画像読取手段とのうち少なくともいずれか一方を備えることを特徴とする。
【００２１】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２２】
（実施の形態１）
図１は、実施の形態１に係るシート給送装置を備えたシート処理装置としての画像読取装置の構成を示す概略断面図である。
【００２３】
画像読取装置１は、画像読取装置１本体の上部を形成する上部フレームである上原稿ガイド２と、本体下部を形成する下部フレームである枠体としての下原稿ガイド３（以下、搬送フレームと称す）とがワニ口型に組み合わされ、これら回動する上原稿ガイド２と固定された搬送フレーム３との間にシート搬送経路としての原稿搬送路が形成される構成となっている。
【００２４】
上記上原稿ガイド２には、原稿束を積載する原稿台４より原稿搬送方向下流側の原稿排出口５に向かって、原稿を給紙するシート搬送回転部材としての給紙ローラ６、原稿上の画像情報を読取る画像読取手段としての密着型読取りセンサー（以下ＣＩＳと称す）７、原稿ＤをＣＩＳ７へ搬送する搬送コロ８ａ、原稿Ｄを排出口５へ排出する排出コロ９ａ等が設けられており、上記搬送フレーム３には、給紙ローラ６にニップ部で圧接して原稿を１枚ずつ分離する摩擦部材としての分離パッド１０と、搬送コロ８ａに圧接してＣＩＳ７へ原稿Ｄを搬送する搬送ローラ８ｂと、排紙コロ９ａに圧接して排出口５へ原稿Ｄを排出する排紙ローラ９ｂ等が配置されている。２０は原稿ＤをＣＩＳ７へコイルバネ１９で押圧して密着させる白色板金である。
【００２５】
画像読取装置１の原稿台４に読取り面を上向きにセットされた複数枚の原稿Ｄのうち、給紙ローラ６及び分離パッド１０によって最上位の原稿より一枚ずつ分離搬送されるように構成されている。分離された原稿Ｄは、搬送ローラ８ａ及び搬送コロ８ｂによって、密着型イメージセンサＣＩＳ７へ搬送される。密着型イメージセンサＣＩＳ７を通過する際、画像が読取られ、読取られた原稿Ｄは排紙ローラ９ａ及び排紙コロ９ｂによって原稿排出口５へ排出される。
【００２６】
分離パッド１０はパッドホルダ１１に保持されており、パッドホルダは回動軸１２ａを支点として、回動動作を行うが、パッドホルダ１１の搬送下流側先端背面の加圧受け部１３を加圧手段１４により加圧する事で、給紙ローラ６へ所定の圧力を加える構成となっている。
【００２７】
以下、分離パッド１０及びパッドホルダ１１からなる分離ユニットをまとめて分離パッドユニット（分離パッドｕ）１８と称して説明する。
【００２８】
次に、本実施の形態に係る分離パッドｕ１８の詳細について図２、３を用いて説明する。
【００２９】
パッドホルダ１１の搬送方向上流には、搬送方向に対して直交する方向に、パッドホルダ１１の回動中心を形成するための回動軸１２ａを有し、
パッドホルダ１１の搬送方向下流側近傍には、搬送方向に対して直交する方向に、回動軌跡動作を規制する回動規制嵌合形状１５ａを有し、
パッドホルダ１１の搬送下流端部の、分離パッド１０が配置される面の背面には、加圧手段１４からの圧力を一定方向に受けるための、加圧手段受け部１３を有する。
【００３０】
また、該加圧手段受け部１３の搬送上下流側には緩やかな傾斜の付いた傾斜形状部を有し、加圧手段の挿入をガイドする傾斜面２３が設けられている。
【００３１】
分離パッドｕ１８は、給紙ローラ６の対向面に位置する搬送フレーム３の搬送面中央部に埋設される。
【００３２】
搬送フレーム３の搬送面中央部には、分離パッドｕ１８を収めるための開口部１６を有し、
開口部搬送上流側両側面には、パッドホルダ１１の回動軸１２ａと嵌合して、回動軸１２ａが搬送方向と同方向に移動が可能であるように設けられた挿入ガイドとしてのガイド溝１２ｂを有しており、回動軸１２ａはガイド溝１２ｂ内に搬送面より挿入が可能である。
【００３３】
開口部１６の縁領域の搬送方向下流側両側面には、パッドホルダ１１に設けられた被規制部としての回動規制嵌合形状１５ａを搬送フレーム３の裏面へ挿入する貫通穴１５ｂと、回動規制嵌合形状１５ａと嵌合して、分離パッドｕ１８の回動動作を規制し、分離パッドｕ１８を開口部１６内の収められるべき位置に位置させるための位置規制部としての回動規制溝１５ｃを有し、
搬送フレーム３の開口部搬送方向下流部に、パッドホルダ１１の加圧手段であるバネ１４を、橋渡し状（ブリッジ状）に配置構成している。これにより、装置の小型化（薄型化）を容易に実現している。
【００３４】
分離パッドｕ１８はパッドホルダ１１の加圧手段受け部１３をバネ１４により押圧される事で、分離パッド１０を給紙ローラ６へ圧接する。
【００３５】
分離パッドｕ１８の回動動作は、パッドホルダ１１の回動規制嵌合形状１５ａを回動規制溝１５ｃに嵌合させる事により、規制される。
【００３６】
次に、分離パッドｕ１８を搬送フレーム３へ取付ける構成について、図４を用いて説明する。
【００３７】
分離パッドｕ１８を取付けている搬送フレーム３と、給紙ローラ６を取付けている上原稿ガイド２はワニ口構成となっており、紙づまりなどに対応して分離パッド１０と給紙ローラ６のニップを開放できる構成になっている。
【００３８】
上原稿ガイド２を開き、給紙ローラ６と分離パッド１０のニップ位置を開放すると、搬送面３ａ及び、搬送面開口部１６が見える。
【００３９】
（１）分離パッドｕ１８を給紙ローラ６が配置される側から搬送面中央部の開口部１６に合わせて回動軸１２ａをガイド溝１２ｂへ挿入し、分離パッドｕ１８を搬送方向上流側へスライドさせながら、回動規制嵌合形状１５ａを挿入穴１５ｂへ挿入する（図４（ａ））。
【００４０】
（２）パッドホルダ１１の搬送方向下流側部分を加圧方向と逆方向へ押付けながら、分離パッドｕ１８を搬送下流方向へスライドさせる（図４（ｂ）〜（ｃ））。
【００４１】
（３）パッドホルダ１１はバネ１４の反力を受けながらバネ１４が傾斜面２３を乗り越えて、回動規制嵌合形状１５ａが回動規制溝１５ｃへ配置される（図４（ｄ））。
【００４２】
分離パッドｕ１８を外す場合には逆の操作をすれば良い。
【００４３】
回動規制嵌合形状１５ａを回動規制溝１５ｃから外すと、バネ１４が傾斜面２３を越える際の反力により分離パッドｕ１８は搬送面３ａへ浮き上がり、搬送面３ａより容易に取り外す事が出来る。
【００４４】
以上のように本実施の形態によれば、分離パッドｕ１８をシート搬送面側から２アクションで着脱可能とするので、分離パッドｕ１８の組み付けを容易に行え、作業性を向上させることができた。すなわち、従来構成から、分離パッドｕ１８を形成する保持部材であるパッドホルダ１１と、パッドホルダ１１の筐体への支持構成と、筐体のパッドホルダ１１を支持する形状に少し変更を加えるだけで、部品点数を増やさずに、ユーザビリティーを容易に向上できた。
【００４５】
さらに、寿命を迎えた分離パッドｕ１８の交換性が向上される為、容易に新品時の分離性能を提供することができ、低コストでシート給送性能を安定させる事が可能となった。
【００４６】
本実施の形態では、搬送フレーム３の開口部１６を搬送フレーム中央部に設けたが、片側基準構成の装置の場合など、給紙ローラ６と分離パッド１０の配置がリーダーフレーム中央で無い場合には、開口部位置は中央部に限らない。
【００４７】
また、本実施の形態では、回動規制嵌合形状１５ａを対形状とし、保持部材両側面より配置させているが、回動動作を規制する構成であれば、回動規制嵌合形状１５ａは少なくとも１個以上配置されていれば良い。
【００４８】
なお、本発明は上記実施の形態に限定されるものではなく、たとえば分離パッドは固定ローラ、リタードローラでもよい。また、搬送ローラや給紙ローラもベルトなど他の回転体にしてもよい。また、画像読取装置の他にも複写機、プリンタなどの画像形成装置にも適用できる。
【００４９】
また、給紙手段となる給紙ローラ６と分離手段となる分離パッドｕ１８の位置関係は逆転しても構わない。
【００５０】
即ち、前記給紙ローラ６が固定側搬送フレームに配置され、前記分離パッドｕ１８が可動側の上ガイドフレーム２へ配置される構成でも良い。
【００５１】
（実施の形態２）
図５には、実施の形態２が示されている。なお、実施の形態１と同様の構成部分については同一の符号を付して、その説明は省略する。以下、本実施の形態の特徴的な構成について説明する。
【００５２】
パッドホルダ１１ａの搬送上流側には、搬送方向に、パッドホルダの回動動作の支点を形成するための回動支点形状１２を有し、
パッドホルダ１１ａの搬送下流側には、搬送方向に、回動動作を規制する回動規制突起形状１７ａを有し、
パッドホルダ１１ａの搬送方向下流側端部の、分離パッド１０が配置される面の背面には、加圧手段１４からの圧力を一定方向に受けるための、加圧手段受け部１３ａを有する。
【００５３】
また、該加圧手段受け部１３ａの搬送方向上下流側には緩やかな傾斜の付いた傾斜形状部を有し、加圧手段の挿入をガイドする傾斜面２３ａが設けられている。
【００５４】
分離パッドｕ１８ａは、給紙ローラ６の対向面に位置する搬送フレーム３の搬送面中央部に埋設される。
【００５５】
搬送フレーム３の搬送面中央部には、分離パッドｕ１８ａを収めるための開口部１６を有し、
開口部搬送下流側には、パッドホルダ１１ａの回動領域内において回動規制凹型形状１７ａと嵌合する回動規制凸型形状１７ｂを有し、
搬送フレーム３の開口部１６の搬送方向下流部には、パッドホルダ１１ａの加圧手段であるバネ１４を、橋渡し状（ブリッジ状）に配置構成している。これにより、装置の小型化（薄型化）を容易に実現している。
【００５６】
分離パッドｕ１８ａは原稿分離時、下方向に押されるが、パッドホルダ１１ａの加圧手段受け部１３ａをバネ１４により押圧する事で、分離パッドｕ１８ａは回動支点形状１２の任意点を支点として回動動作を行うと共に、位置規制部としての回動規制凸型形状１７ｂが被規制部としての回動規制凹型形状１７ａを規制する事で、所定の方向へ向けて、分離パッド１０を給紙ローラ６へ圧接する構成である。
【００５７】
次に、分離パッドｕ１８ａを搬送フレーム３へ取付ける構成について、図６を用いて説明する。
【００５８】
分離パッドｕ１８ａを取付けている搬送フレーム３と、給紙ローラ６を取付けている上原稿ガイド２はワニ口構成となっており、紙づまりなどに対応して分離パッド１０と給紙ローラ６のニップを開放できる構成になっている。
【００５９】
上原稿ガイド２を開き、ニップ位置を開放すると、搬送面３ａ及び、搬送面開口部１６が見える。
【００６０】
（１）給紙ローラ６が配置される側から分離パッドｕ１８ａの搬送上流側を下方に傾けた状態で、分離パッドｕ１８ａを搬送方向上流側へスライドさせ、回動支点形状１２を開口部１６の上流側に設けられた挿入ガイドとしての回動支点穴１２ｃへ挿入し、分離パッドｕ１８ａを開口部１６に落とし込む（図６（ａ））。
【００６１】
（２）パッドホルダ１１ａの搬送下流側先端を加圧手段１４の加圧方向と逆方向へ押付けながら、パッドｕ１８ａを搬送方向へスライドさせ、前記回動規制凹型形状１７ａを回動規制凸型形状１７ｂへ挿入して凹凸を嵌合する（図６（ｂ）〜（ｃ））。
【００６２】
（３）パッドホルダ１１ａはバネ１４の反力を受けながらバネ１４が傾斜面２３ａを乗り越えて、待機位置へ配置される（図６（ｄ））。
【００６３】
分離手段を外す場合には逆の操作をすれば良い。
【００６４】
回動規制凹型形状１７ａを回動規制凸型形状１７ｂから外すと、バネ１４が傾斜面２３ａを越える際の反力により分離パッドｕ１８ａは搬送面３ａより浮き上がり、容易に取り外す事が出来る。
【００６５】
以上のように本実施の形態によれば、分離パッドｕ１８ａをシート搬送面側から２アクションで着脱可能とするので、分離パッドｕ１８ａの組み付けを容易に行え、作業性を向上させることができた。すなわち、従来構成から、分離パッドｕ１８ａを形成する保持部材であるパッドホルダ１１ａと、パッドホルダ１１ａの筐体への支持構成と、筐体のパッドホルダ１１ａを支持する形状に少し変更を加えるだけで、部品点数を増やさずに、ユーザビリティーを容易に向上できた。
【００６６】
さらに、寿命を迎えた分離パッドｕ１８ａの交換性が向上される為、容易に新品時の分離性能を提供することができ、低コストでシート給送性能を安定させる事が可能となった。
【００６７】
本実施の形態では、搬送フレーム３の開口部１６を搬送フレーム中央部に設けたが、片側基準構成の装置の場合など、給紙ローラ６と分離パッド１０の配置がリーダーフレーム中央で無い場合には、開口部位置は中央部に限らない。
【００６８】
また、本実施の形態では、回転軸支点形状１２ａや回動規制凹型形状１７ａを１個ずつ配置させているが、回動動作または、回動支点を規制する構成であれば、形状は２個以上でも良い。
【００６９】
なお、本発明は上記実施の形態に限定されるものではなく、たとえば分離パッドは固定ローラ、リタードローラでもよい。また、搬送ローラや給紙ローラもベルトなど他の回転体にしてもよい。また、画像読取装置の他にも複写機、プリンタなどの画像形成装置にも適用できる。
【００７０】
また、給紙手段となる給紙ローラ６と分離手段となる分離パッドｕ１８ａの位置関係は逆転しても構わない。
【００７１】
即ち、前記給紙ローラ６が固定側搬送フレームに配置され、前記分離パッドｕ１８ａが可動側の上ガイドフレーム２へ配置される構成でも良い。
【００７２】
（実施の形態３）
図７，８には、実施の形態３が示されている。なお、上述した実施の形態と同様の構成部分については同一の符号を付して、その説明は省略する。以下、本実施の形態の特徴的な構成について説明する。
【００７３】
パッドホルダ１１ｂの搬送上流側には、パッドホルダの回動中心を形成するための回動支点形状２１ａを搬送方向に有し、
パッドホルダ１１ｂの搬送下流側には、回動動作を規制する被規制部としての回動規制形状２２ａを搬送方向に有し、
パッドホルダ１１ｂの搬送下流側端部の、分離パッド１０が配置される面の背面には、加圧手段１４からの圧力を一定方向に受けるための、加圧手段受け部１３ｂを有する。
【００７４】
また、該加圧手段受け部１３ｂの搬送方向上下流側には緩やかな傾斜の付いた、加圧手段挿入ガイド形状が設けられている。
【００７５】
分離パッドｕ１８ｂは、給紙ローラ６の対向面に位置する搬送フレーム３の搬送面中央部に埋設される。
【００７６】
搬送フレーム３の搬送面中央部には、分離パッドｕ１８ｂを収めるための開口部１６を有し、
搬送フレーム３の開口部１６の搬送方向下流部には、パッドホルダ１１ｂの加圧手段であるバネ１４を、橋渡し状（ブリッジ状）に配置構成している。これにより、装置の小型化（薄型化）を容易に実現している。
【００７７】
分離パッドｕ１８ｂは原稿分離時、下方向に押されるが、パッドホルダ１１ｂの加圧手段受け部１３ｂをバネ１４により押圧する事で、分離パッドｕ１８ｂは回動支点形状２１ａの任意点を支点として回動動作を行い、分離パッド１０を給紙ローラ６へ圧接する構成である。
【００７８】
また、ニップ開放時も分離パッドｕ１８ｂはバネ１４により常に搬送面へ押圧されているが、回動規制形状２２ａが位置規制部としての搬送フレーム開口部下流裏天面２２ｂに突き当たる事で、定常位置では搬送面へ抜け出ない構成となっている。
【００７９】
次に、分離パッドｕ１８ｂを搬送フレーム３へ取付ける構成について、図８を用いて説明する。
【００８０】
分離パッドｕ１８ｂを取付けている搬送フレーム３と、給紙ローラ６を取付けている上原稿ガイド２はワニ口構成となっており、紙づまりなどに対応して分離パッド１０と給紙ローラ６のニップを開放できる構成になっている。
【００８１】
上原稿ガイド２を開き、ニップ位置を開放すると、搬送面３ａ及び、搬送面開口部１６が見える。
【００８２】
（１）給紙ローラ６が配置される側から分離パッドｕ１８ｂの搬送上流側を下0方に傾けた状態で、分離パッドｕ１８ｂを搬送方向上流側へスライドさせ、回動支点形状２１ａを開口部１６の上流側の挿入ガイドとしての裏天面２１ｂへ挿入し、分離パッドｕ１８ｂを開口部１６に落とし込む（図８（ａ））。
【００８３】
（２）パッドホルダ１１ｂの搬送方向下流側先端をバネ１４の加圧方向と逆方向へ押付けながら、分離パッドｕ１８ｂを搬送方向へスライドさせる（図８（ｂ））。
【００８４】
（３）パッドホルダ１１ｂはバネ１４の反力を受けながらバネ１４が傾斜面２３ｂを乗り越えて、待機位置へ配置される（図８（ｃ））。
【００８５】
分離手段を外す場合には逆の操作をすれば良い。
【００８６】
分離パッドｕ１８ｂを搬送方向上流へスライドさせて回動支点形状２１ａを開口部裏天面２１ｂより外すと、バネ１４が傾斜面２３ｂを越える際の反力により分離パッドｕ１８ｂは搬送面３ａより浮き上がり、容易に取り外す事が出来る（図８（ｃ）〜（ａ））。
【００８７】
また、本実施の形態においては分離パッドｕ１８ｂを搬送方向下流側より落とし込んでスライドさせる事によっても同様に、容易に取付ける事が出来る（図８（ｄ）〜（ｆ））。
【００８８】
以上のように本実施の形態によれば、分離パッドｕ１８ｂをシート搬送面側から２アクションで着脱可能とするので、分離パッドｕ１８ｂの組み付けを容易に行え、作業性を向上させることができた。すなわち、従来構成から、分離パッドｕ１８ｂを形成する保持部材であるパッドホルダ１１ｂと、パッドホルダ１１ｂの筐体への支持構成と、筐体のパッドホルダ１１ｂを支持する形状に少し変更を加えるだけで、部品点数を増やさずに、ユーザビリティーを容易に向上できた。
【００８９】
さらに、寿命を迎えた分離パッドｕ１８ｂの交換性が向上される為、容易に新品時の分離性能を提供することができ、低コストでシート給送性能を安定させる事が可能となった。
【００９０】
本実施の形態では、搬送フレーム３の開口部１６を搬送フレーム中央部に設けたが、片側基準構成の装置の場合など、給紙ローラ６と分離パッド１０の配置がリーダーフレーム中央で無い場合には、開口部位置は中央部に限らない。
【００９１】
また、本実施の形態では、回転支点形状２１ａや回動規制形状２２ａを１個ずつ配置させているが、回動動作または、回動支点を規制する構成であれば、形状は２個以上でも良い。
【００９２】
なお、本発明は上記実施の形態に限定されるものではなく、たとえば分離パッドは固定ローラ、リタードローラでもよい。また、搬送ローラや給紙ローラもベルトなど他の回転体にしてもよい。また、画像読取装置の他にも複写機、プリンタなどの画像形成装置にも適用できる。
【００９３】
また、給紙手段となる給紙ローラ６と分離手段となる分離パッドｕ１８の位置関係は逆転しても構わない。
【００９４】
即ち、前記給紙ローラ６が固定側搬送フレームに配置され、前記分離パッドｕ１８ｂが可動側の上ガイドフレーム２へ配置される構成でも良い。
【００９５】
以上、数々の実施の形態について述べたが、更に、前述した画像読取装置の形態としては、コンピュータ等の情報処理機器の画像入出力端末として用いられるものの他、複写装置の形態をとるもの等であっても良い。
【００９６】
【発明の効果】
以上説明したように、本発明によれば、シート搬送回転部材側から開口部への分離ユニットの挿入を案内する挿入ガイドと、該挿入ガイドに案内されて該開口部に挿入される該分離ユニットに設けられた被規制部を規制して、該分離ユニットを該開口部内の収められるべき位置に位置させる位置規制部と、を該開口部の縁領域に設けることにより、該分離ユニットをシート搬送回転部材側から容易に着脱させることができるので、ユーザビリティの向上を実現させることが可能となる。
【００９７】
さらに、寿命を迎えた摩擦部材の交換性が向上されるので、新品時の分離性能を容易に提供することが可能となる。従って、シート給送性能を安定させることができ、シート給送性能の向上が可能となる。
【図面の簡単な説明】
【図１】実施の形態１に係る画像読取装置の概略断面図である。
【図２】実施の形態１に係るシート給送部の分離手段の詳細説明図である。
【図３】実施の形態１に係る筐体の分離手段配置部の詳細説明図である。
【図４】実施の形態１に係る分離手段の取付け操作を示す動作説明図である。
【図５】実施の形態２に係るシート給送装置の要部の詳細説明図である。
【図６】実施の形態２に係る分離手段の取付け操作を示す動作説明図である。
【図７】実施の形態３に係るシート給送装置の要部の詳細説明図である。
【図８】実施の形態３に係る分離手段の取付け操作を示す動作説明図である。
【図９】従来の画像読取装置の概略断面図である。
【図１０】従来の分離手段の取付け操作を示す動作説明図である。
【符号の説明】
１  画像読取装置
２  上原稿ガイド
３  搬送フレーム
４  原稿台
５  排出口
６  排紙ローラ
７  ＣＩＳ
８ａ  搬送コロ
８ｂ  搬送ローラ
９ａ  排紙コロ
９ｂ  排紙ローラ
１０  分離パッド
１１，１１ａ，１１ｂ  パッドホルダ
１２  回動支点形状
１２ａ  回動軸
１２ｂ  ガイド溝
１２ｃ  回動支点穴
１３，１３ａ，１３ｂ  受け部
１４  バネ
１５ａ  回動規制嵌合形状
１５ｂ  貫通穴
１５ｃ  回動規制溝
１６  開口部
１７ａ  回動規制凹型形状
１７ｂ  回動規制凸型形状
１８，１８ａ，１８ｂ  分離パッドｕ
１９  コイルバネ
２０  白色板金
２１ａ  回動支点形状
２１ｂ  開口部上流裏天面
２２ａ  回動規制形状
２２ｂ  開口部下流裏天面
２３，２３ａ，２３ｂ  傾斜面
【図１】
0003689629.tif 000002
【図２】
0003689629.tif 000003
【図３】
0003689629.tif 000004
【図４】
0003689629.tif 000005
【図５】
0003689629.tif 000006
【図６】
0003689629.tif 000007
【図７】
0003689629.tif 000008
【図８】
0003689629.tif 000009
【図９】
0003689629.tif 000010
【図１０】
0003689629.tif 000011